(57)【要約】【課題】エレベーターの停止階等の運転案内を表示するエレベーター用表示装置において、表示性能を経時変化の少ない構成で的確に維持し寿命特性を向上できるエレベーター用表示装置を得る。【解決手段】エレベーターの運転案内を表示するエレベーター用表示装置ＤＰにおいて、透光性表示シート５に形成され常温と常温を超える所定温度とで透光特性が異なる材質からなるサーマルインク層１２と、サーマルインク層１２を加熱する発熱体１１とを備え、発熱体１１によってサーマルインク層１２の温度を所定温度として透光特性を変化させ、サーマルインク層１２による表示を切り換えるようにした。【選択図】図１
2006248708.tif 000002
【特許請求の範囲】
【請求項１】
エレベーターの運転案内を表示するエレベーター用表示装置において、基材に形成され常温と常温を超える所定温度とで透光特性が異なる材質からなる表示要素と、前記表示要素を加熱する加熱手段とを備え、前記加熱手段によって前記表示要素の温度を所定温度として透光特性を変化させ、前記表示要素による表示を切り換えるようにしたことを特徴とするエレベーター用表示装置。
【請求項２】
エレベーターの停止階・非停止階についての運転案内を表示するエレベーター用表示装置において、停止階表示用シート状透光性基材と、前記停止階表示用シート状透光性基材に印刷により形成され常温と常温を超える所定の温度とで透光特性が異なる材質からなる表示要素と、前記表示要素に重合して印刷により形成される遮光要素と、前記表示要素を加熱する加熱手段とを備え、前記加熱手段によって前記表示要素の温度を所定温度として透光特性を変化させ、前記表示要素による表示を切り換えるようにしたことを特徴とするエレベーター用表示装置。
【請求項３】
前記加熱手段による加熱を制御する制御手段を設け、周囲温度の低下に応じて周囲温度の低下を補償する補助加熱を前記加熱手段により行わせるようにしたことを特徴とする請求項１または請求項２に記載のエレベーター用表示装置。
【請求項４】
前記表示要素による表示のための補助光源を設けたことを特徴とする請求項１から請求項３までのいずれかに記載のエレベーター用表示装置。
【発明の詳細な説明】
【技術分野】
【０００１】
この発明は、エレベーター用表示装置、特に、エレベーターの停止階表示を表示したり、非表示したりするエレベーター用表示装置に関するものである。
【背景技術】
【０００２】
群管理のエレベーターでは、時間帯により停止階が変化する場合がある。また、特定の階を通常は停止しないようなサービスをする場合がある。このような場合に、表示装置は、停止する場合には停止階を表示する文字が見えるように、停止しない場合にはその文字が見えないようにすることがある。
従来技術によるエレベーター用表示装置では、表示と非表示の切り換えを発光ダイオード（ＬＥＤ）などの光源の点灯，消灯にて対応しているが、この種のエレベーター用表示装置を停止階表示に適用すると、常時停止する階は長時間点灯しており、寿命等の問題があった。
【０００３】
このような従来技術において、その表示はインクで印刷した透光性表示シートの背面から発光ダイオードにより照光することにより行われるものである（例えば、特許文献１参照）。
この特許文献１における透光性表示シート５には、文字等が印刷により形成された照光部５ａが設けられる。透光性表示シート５の背面の発光ダイオード８ａが点灯した場合には、透光性表示シート５を介して光が外に出て、照光部５ａの文字が点灯状態になる。発光ダイオード８ａが非点灯の場合には、透光性表示シート５の裏面の照光部５ａの文字は見ることができない。
【０００４】
【特許文献１】特開平５−１４７８４２号公報
【発明の開示】
【発明が解決しようとする課題】
【０００５】
特許文献１に示されたエレベーター用表示装置を停止階表示に適用すると、例えば、１階のように常時停止する階は、常に点灯し続けるため、発光ダイオードの寿命の問題があった。また、発光ダイオードは明るさが徐々に低下する特性があり、常時点灯する階と、常時点灯しない階とでは、明るさが異なる問題もあった。
【０００６】
この発明は、エレベーターの停止階等の運転案内を表示するエレベーター用表示装置において、表示性能を経時変化の少ない構成で的確に維持し寿命特性を向上させることを目的とする。
【課題を解決するための手段】
【０００７】
この発明に係るエレベーター用表示装置は、エレベーターの運転案内を表示するエレベーター用表示装置において、基材に形成され常温と常温を超える所定の温度とで透光特性が異なる材質からなる表示要素と、前記表示要素を加熱する加熱手段とを備え、前記加熱手段によって前記表示要素の温度を所定温度として透光特性を変化させ、前記表示要素による表示を切り換えるようにしたものである。
【発明の効果】
【０００８】
この発明によれば、エレベーターの停止階等の運転案内を表示するエレベーター用表示装置において、表示性能を経時変化の少ない構成で的確に維持し寿命特性を向上できるエレベーター用表示装置を得ることができる。
【発明を実施するための最良の形態】
【０００９】
実施の形態１．
この発明による実施の形態１を図１および図２について説明する。図１は実施の形態１におけるエレベーター用表示装置の構成を示す側面図である。図２（ａ）は実施の形態１におけるエレベーター用表示装置の表示部の構成を示す正面図である。図２（ｂ）は実施の形態１におけるエレベーター用表示装置の表示部の構成を示す下面図である。
【００１０】
この実施の形態１におけるエレベーター用表示装置ＤＰの構成を示す図１において、フェイスプレート１には、樹脂成形品からなるハウジング２とハウジング２に圧接挿入された枠体３がハウジング２に取り付けられた板バネ４によって固定される。
ハウジング２には、遮光壁２ａが一体成形により形成されている。透光性表示シート５はハウジング２の表示正面側（図１に示す上方側）に透光性樹脂からなり光拡散作用を行う保持板７によって保持され、枠体３と保持板７との間に配設される。
ハウジング２に基板８が設けられ、この基板８に抵抗器からなる発熱体１１が透光性表示シート５の背面に対応して取り付けられている。
【００１１】
透光性表示シート５には、図２（ａ）および図２（ｂ）に示すように、照光部５ａが設けられている。
透光性表示シート５の裏面には、図２（ｂ）に示すように、サーマルインク層１２が印刷により形成され、このサーマルインク層２に重合して遮光性インク層１３が印刷により形成されている。
サーマルインク層１２は透光性表示シート５の裏面に接着して一面に形成される。サーマルインク層１２を構成するサーマルインクの材質は、ＵＶサーマルインキとして市販されている感温変色性の紫外線（ＵＶ）硬化型インキであって、例えば４４℃以上で変色し透明になる特性を有するものである。
遮光性インク層１３は透光性表示シート５の裏面にサーマルインク層１２と重合して形成される。遮光性インク層１３は、透光性表示シート５においてサーマルインク層１２とともに照光部５ａを形成するために、文字の形をした照光部５ａに対応する部分以外が印刷形成されている。
透光性表示シート５の背面には、前述の通り、発熱体（抵抗器などにより構成される）１１が設けられている。
【００１２】
この発明による実施の形態１における動作を説明する。
図１および図２に示すエレベーター用表示装置ＤＰはエレベーターの時間帯毎の運転パターンについての運転案内としてエレベーターがどの階床に停止するかを表示する停止階表示を行うものであって、停止階表示の対象となる階床に対応して複数個設けられている。
【００１３】
停止階表示が非表示の場合には、いずれのエレベーター用表示装置ＤＰにも発熱体１１には加熱作用のための通電はされない。透光性表示シート５に形成された表示要素としてのサーマルインク層１２は周囲温度と同程度の常温状態にある。サーマルインク層１２は不透明な本来の色調を保っている。サーマルインク層１２が不透明であるため、透光性表示シート５に設けられた照光部５ａによる表示は行われない。
【００１４】
停止階表示を行う場合には、停止階に対応するエレベーター用表示装置ＤＰの発熱体１１に加熱作用のための通電が行われる。抵抗器からなる発熱体１１により発生されるジュール熱によって透光性表示シート５に形成された表示要素としてのサーマルインク層１２は加熱され、サーマルインク層１２が例えば４４℃以上の所定温度に達すると、サーマルインク層１２は透光特性を急変して透明となる。サーマルインク層１２が透明となることにより、透光性表示シート５における照光部５ａでは、透明化されたサーマルインク層１２および遮光性インク層１３における停止階を示す文字形状の非印刷部分を介して入光する周囲の反射光による対象停止階についての文字表示が行われることになり、停止階表示が実行される。
発熱体１１における加熱作用のための通電は、サーマルインク層１２が例えば４４℃以上の所定温度に保持されるように継続され、停止階表示は的確に行われる。
【００１５】
この発明による実施の形態１によれば、エレベーターの停止階・非停止階等についてのエレベーターの運転形態である運転パターンに関する運転案内を表示するエレベーター用表示装置ＤＰにおいて、透光性表示シート５からなる停止階表示用シート状透光性基材と、前記透光性表示シート５からなる停止階表示用シート状透光性基材に印刷により形成され常温と常温を超える所定の温度とで透光特性が異なる材質からなるサーマルインク層１２で構成される表示要素と、前記サーマルインク層１２で構成される表示要素に重合して印刷により形成され前記サーマルインク層１２で構成される表示要素とともに表示作用を行う照光部５ａを前記透光性表示シート５からなる停止階表示用シート状透光性基材において形成する遮光性インク層１３からなる遮光要素と、前記サーマルインク層１２で構成される表示要素を加熱する発熱体１１からなる加熱手段とを備え、前記発熱体１１からなる加熱手段によって前記サーマルインク層１２で構成される表示要素の温度を所定温度として透光特性を変化させ、前記サーマルインク層１２で構成される表示要素による前記透光性表示シート５からなる停止階表示用シート状透光性基材における照光部５ａでの表示を切り換えるようにしたので、エレベーターの停止階等の運転案内を表示するエレベーター用表示装置において、表示性能を経時変化の少ない構成で的確に維持し寿命特性を向上できるエレベーター用表示装置を得ることができる。
【００１６】
実施の形態２．
この発明による実施の形態２を図３から図５までについて説明する。図３は実施の形態２におけるエレベーター用表示装置の構成を示す側面図である。図４は実施の形態２における制御回路構成を示す接続図である。図５は実施の形態２における補助加熱動作を示すフローチャートである。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１７】
この実施の形態２におけるエレベーター用表示装置の構成を示す図３において、先に説明した実施の形態１の構成に加えて、エレベーター用表示装置ＤＰの内部の温度を測定するための、温度センサー１４が追加で取り付けられている。
実施の形態１に示す構成では、気温の低い時期では、発熱体１１による温度上昇に時間がかかる。そのため、この実施の形態２では、温度センサー１４で内部温度を測定し、常に一定温度になるようにしてある。
【００１８】
この実施の形態２におけるエレベーター用表示装置の制御回路構成を示す図４において、温度センサー１４は透光性表示シート５に形成されたサーマルインク層１２近傍のエレベーター用表示装置ＤＰの内部温度を検出する。温度センサー１４による検出温度データＤＴは制御装置１５に送られ、制御装置１５は温度センサー１４による検出温度出力ＤＴに応じて発熱体１１によりサーマルインク層１２の周囲を補助加熱するための補助加熱用通電パワーＰＨを発熱体１１に印加する。
制御装置１５は、また、制御装置１５に入力される表示切換指令ＣＡに応じて、発熱体１１によりサーマルインク層１２の表示切換用加熱を行うための表示切換用通電パワーＣＨを発熱体１１に印加する。
ここで、発熱体１１によりサーマルインク層１２の周囲を補助加熱するための補助加熱用通電パワーＰＨは比較的小電力であり、発熱体１１によりサーマルインク層１２の表示切換用加熱を行うための表示切換用通電パワーＣＨは、補助加熱用通電パワーＰＨよりも大電力である。
【００１９】
この実施の形態２における制御装置１５の動作を示す図５のフローチャートについて説明する。
ステップＳ１で、制御装置１５は温度センサー１４からの検出温度データＤＴについて温度センサー１４による検出温度が２０℃より低いかどうかを判別する。温度センサー１４の検出温度が２０℃より低ければ、ステップＳ２へ進む。温度センサー１４の検出温度が２０℃より低くなければ、ＳＴＡＲＴへ戻る。
ステップＳ２で、制御装置１５は発熱体１１によるサーマルインク層１２の周囲を補助加熱するための補助加熱用通電パワーＰＨを発熱体１１に印加する。
ステップＳ３で、制御装置１５は温度センサー１４からの検出温度データＤＴによって温度センサー１４による検出温度が２０℃を超えたかどうかを判別する。温度センサー１４による検出温度が２０℃を超えていなければ、ステップＳ２に戻る。温度センサー１４による検出温度が２０℃を超えていれば、ステップＳ４へ進む。
ステップＳ３で、制御装置１５は発熱体１１によるサーマルインク層１２の周囲を補助加熱するための補助加熱用通電パワーＰＨの発熱体１１への印加を停止し、ＳＴＡＲＴへ戻る。
【００２０】
このように、サーマルインク層１２の周囲におけるエレベーター用表示装置ＤＰの内部温度が２０℃より低下した場合には、その温度を２０℃に保持するようにして、発熱体１１による表示切換動作を迅速に行うよう準備される。
そして、表示切換指令ＣＡが制御装置１５に入力されると、制御装置１５は表示切換指令ＣＡに応じて、発熱体１１によるサーマルインク層１２の表示切換用加熱を行うための表示切換用通電パワーＣＨを発熱体１１に印加し、発熱体１１は透光性表示シート５に形成されたサーマルインク層１２を２０℃から例えば４４℃以上の所定温度へ急速に加熱して、サーマルインク層１２を的確に不透明化することができる。したがって、透光性表示シート５にサーマルインク層１２および遮光性インク層１３によって形成される照光部５ａによる表示切換を迅速かつ確実に行うことができる。
【００２１】
この発明による実施の形態２によれば、実施の形態１における構成において、前記発熱体１１からなる加熱手段による加熱を制御する制御装置１５からなる制御手段を設け、前記制御装置１５からなる制御手段による制御動作により周囲温度の低下に応じて周囲温度の低下を補償する補助加熱を前記発熱体１１からなる加熱手段により行わせるようにしたので、エレベーターの停止階等の運転案内を表示するエレベーター用表示装置ＤＰにおいて、表示性能を経時変化の少ない構成で的確に維持し寿命特性を向上できるとともに、周囲の温度が低い場合でも表示動作を迅速に行えるエレベーター用表示装置を得ることができる。
【００２２】
実施の形態３．
この発明による実施の形態３を図６について説明する。図６は実施の形態３におけるエレベーター用表示装置の構成を示す側面図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００２３】
この実施の形態３におけるエレベーター用表示装置の構成を示す図６において、先に説明した実施の形態１の構成に加えて、補助光源としての発光ダイオード８ａが追加で取り付けられている。
【００２４】
実施の形態１における構成では、反射光を利用して、透光性表示シート５における照光部５ａの文字表示の判読が可能であるが、周囲が暗い場合には反射光が少ないため、文字表示の判読がし難い。そのため、発熱体１１等による表示構成の他に補助光源として発光ダイオード８ａを設ける。この発光ダイオード８ａは周囲が暗いため、発光ダイオード８ａを明るく点灯する必要がないので、暗めの明るさに調整してある。
【００２５】
ここで、停止階に対応するエレベーター用表示装置ＤＰの発熱体１１に表示切換用通電パワーを供給させると、実施の形態１と同様に、発熱体１１は透光性表示シート５に形成されたサーマルインク層１２を不透明化し、透光性表示シート５にサーマルインク層１２および遮光性インク層１３によって形成される照光部５ａによる表示切換を行うことができる。
また、同時に、発光ダイオード８ａにも補助照明用通電パワーを供給し、点灯させることにより、周囲が暗い場合でも透光性表示シート５における照光部５ａの文字表示が、より明瞭に判読できるようになる。
【００２６】
この発明による実施の形態３によれば、実施の形態１または実施の形態２における構成において、前記サーマルインク層１２で構成される表示要素による前記透光性表示シート５からなる停止階表示用シート状透光性基材における照光部５ａでの表示のための発光ダイオード８ａからなる補助光源を設けたので、エレベーターの停止階等の運転案内を表示するエレベーター用表示装置ＤＰにおいて、表示性能を経時変化の少ない構成で的確に維持し寿命特性を向上できるとともに、周囲が暗い場合でも表示を適切に行えるエレベーター用表示装置を得ることができる。
【００２７】
以上のように、この発明による実施の形態１および実施の形態２では、寿命のある発光ダイオードを適用していないので、長寿命となり、且つ抵抗器などの安価な発熱体で製作することができる。
また、実施の形態３では、発光ダイオードを適用しているものの、従来の輝度よりかなり低くすることが可能となり、発光ダイオードの長寿命化が可能となる。
【００２８】
なお、この発明による実施の形態は、エレベーター用表示装置としてボタン構成体に組み込んだもので説明したが、ボタン構成体に組み込まず、例えば、ホールランタンの表示装置として別に設けても同様の効果がある。
【図面の簡単な説明】
【００２９】
【図１】この発明による実施の形態１におけるエレベーター用表示装置の構成を示す側面図である。
【図２】この発明による実施の形態１における表示部の構成を示す正面図および下面図である。
【図３】この発明による実施の形態２におけるエレベーター用表示装置の構成を示す側面図である。
【図４】この発明による実施の形態２における制御回路の構成を示す接続図である。
【図５】この発明による実施の形態２における補助加熱動作を示すフローチャートである。
【図６】この発明による実施の形態３におけるエレベーター用表示装置の構成を示す側面図である。
【符号の説明】
【００３０】
１  フェイスプレート、２  ハウジング、２ａ  遮光壁、３  枠体、４  板バネ、５  透光性表示シート、５ａ  照光部、７  保持板、８  基板、１１  発熱体、１２  サーマルインク層、１３  遮光性インク層、１４  温度センサー、１５  制御装置。
【図１】
2006248708.tif 000003
【図２】
2006248708.tif 000004
【図３】
2006248708.tif 000005
【図４】
2006248708.tif 000006
【図５】
2006248708.tif 000007
【図６】
2006248708.tif 000008